(57)【要約】【課題】新規に録画する際、記憶部の容量が確保できない場合、新規に録画するファイルの画質を著しく劣化させることなく録画できる動画像録画装置を提供することである。【解決手段】記憶部１０２にビットレートを設定して、動画像を記憶する動画像記録装置において、記憶部残容量取得部１０５、録画済ファイルのビットレート取得部１０６、録画済ファイルの再生時間取得部１０７、操作部１０３、画像ファイルの再符号化部１０４を備え、新規録画に必要な残容量を算出し、その値からビットレートを下げる複数の対象ファイルと、必要なファイル数と、設定ビットレートを算出し、新規録画ファイルのビットレートやサイズ、解像度を極端に下げることなく新規録画が行う。【選択図】図１
2009130578.tif 000002
【特許請求の範囲】
【請求項１】
入力された映像・音声の動画像ファイルを記憶部に録画する動画像録画装置であって、
前記記憶部に録画可能な記憶容量を取得する残記憶容量取得部と、
録画済の動画像ファイル又は新たに録画する動画像ファイルのビットレートを取得するビットレート取得部と、
前記録画済の動画像ファイル又は新たに録画する動画像ファイルの再生時間を取得する再生時間取得部と、
前記ビットレート取得部により取得される前記ビットレート及び前記再生時間取得部により取得される再生時間から算出する前記新たに録画する動画像ファイルの記憶容量と前記残記憶容量取得部により取得する前記録画可能な記憶容量とを比較し、前記新たに録画する動画像ファイルが前記記憶部に録画可能か否かを判断する制御部と、
録画済の動画像ファイルを再符号化する再符号化部と、を備え、
前記制御部は、前記新たに録画する動画像ファイルが前記記憶部に録画できないと判断した場合、前記録画済みの動画像のうちから複数の対象ファイルを同時に選択し、前記対象ファイルの録画時におけるそれぞれビットレートに応じて所定量分下げたビットレートを算出し、該ビットレートに基づいて前記再符号化部により、前記複数の対象ファイルを再符号化させることによって、前記新たに録画する動画像ファイルを録画するのに必要な記憶容量を生成するようにしたことを特徴とする動画像録画装置。
【請求項２】
前記制御部は、前記複数の対象ファイルを同時に選択する場合に、前記複数の対象ファイルを同時に選択する場合に、選択するファイル数に最大値を設け、選択ファイル数に制限を加えたことを特徴とする請求項１に記載の動画像録画装置。
【請求項３】
前記制御部は、前記複数の対象ファイルを同時に選択する際に、ビットレートの高い順に対象ファイルを選択することを特徴とする請求項１又は請求項２に記載の動画像録画装置。
【請求項４】
前記制御部は、前記複数の対象ファイルを同時に選択する際に、再生時間の大きい順に対象ファイルを選択することを特徴とする請求項１から請求項４のいずれか１項に記載の動画像録画装置。
【請求項５】
前記制御部は、前記複数の対象ファイルを同時に選択する際に、録画日時の古い順に対象ファイルを選択することを特徴とする請求項１から請求項４のいずれか１項に記載の動画像録画装置。
【請求項６】
前記制御部は、前記複数の対象ファイルを同時に選択する際に、再生履歴の回数の少ない順に対象ファイルを選択することを特徴とする請求項１から請求項５のいずれか１項に記載の動画像録画装置。
【発明の詳細な説明】
【技術分野】
【０００１】
本発明は、動画像を録画する画像録画装置に関し、特に、必要な録画容量を確保して動画像を録画する画像録画装置に関する。
【背景技術】
【０００２】
従来、動画像録画装置においては、装置内に大容量の動画像記憶部を備えており、録画したファイルはこの動画像記憶部に保存しておき、録画容量が少なくなった場合に、ＤＶＤ−Ｒ等の外部記憶部に保存し、再度録画容量を増やすという使用方法が一般化している。
【０００３】
しかし、外部記憶部に保存するのは煩わしかったりするため、装置内の記憶部に録画すべき動画像を再符号化し、画像ファイル容量を縮小して空き容量を増加させる手法が各種提案されている。
【０００４】
ここで、従来例として、下記特許文献１に記載された動画像録画装置を取り上げ、この装置の概略構成及び動作について、簡単に説明する。
【０００５】
図３は、従来の動画像録画装置の構成を示すブロック図である。
【０００６】
図３に示すように、録画装置２００は、各種情報を取得し、これらの情報に基づいて、録画時における必要なビットレートの制御や時間管理等の制御を行う制御装置２０１と、録画したファイルを格納する記憶部２０２と、再符号化する際のビットレートを設定する符号化ビットレート指示器２０３と、録画済ファイルを一旦復号し、符号化ビットレート指示器からの設定に従い符号化する再符号化部２０４とから構成される。
【０００７】
上記のように構成された動画像録画装置２００の制御部２０１は、記憶部２０２の空き容量が、一定時間毎、もしくは予め定められた基準値以下となった場合、あるいは録画予約等によってＡＶストリームを格納する前に予め記憶容量が足りなくなることが予想された場合、あるいは、格納から一定時間が過ぎた場合、記憶装置２０２に格納されたファイルを１個選択し、録画時のビットレートより低いビットレートを符号化ビットレート指示部２０３によって設定し、再符号化部（トランスコーダ）２０４によって再符号化することで、記憶部２０２の容量を拡大するようにしている。
【特許文献１】特開２０００−３４１６２７号公報
【発明の開示】
【発明が解決しようとする課題】
【０００８】
しかしながら、上記特許文献１に開示されている動画像録画装置では、新規に録画するファイルのビットレートを大きく下げたり、録画するサイズを小さく変更したり、解像度を落したりして録画することにより、新規録画容量を確保するために、画像の品質が著しく劣化するという問題があった。
【０００９】
そこで、本発明は、上記問題点を解決するためになされたものであり、その目的とするところは、新規に録画するファイルの画質を著しく劣化させることなく録画できる動画像録画装置を提供することである。
【課題を解決するための手段】
【００１０】
上記のような問題点を解決するために、本発明に係る動画像録画装置は、以下のような構成とし、特徴を有する。
【００１１】
本発明に係る動画像録画装置は、入力された映像・音声の動画像ファイルを記憶部に録画する動画像録画装置であって、前記記憶部に録画可能な記憶容量を取得する残記憶容量取得部と、録画済の動画像ファイル又は新たに録画する動画像ファイルのビットレートを取得するビットレート取得部と、前記録画済の動画像ファイル又は新たに録画する動画像ファイルの再生時間を取得する再生時間取得部と、前記ビットレート取得部により取得される前記ビットレート及び前記再生時間取得部により取得される再生時間から算出する前記新たに録画する動画像ファイルの記憶容量と前記残記憶容量取得部により取得する前記録画可能な記憶容量とを比較し、前記新たに録画する動画像ファイルが前記記憶部に録画可能か否かを判断する制御部と、録画済の動画像ファイルを再符号化する再符号化部と、を備え、前記制御部は、前記新たに録画する動画像ファイルが前記記憶部に録画できないと判断した場合、前記録画済みの動画像のうちから複数の対象ファイルを同時に選択し、前記対象ファイルの録画時におけるそれぞれビットレートに応じて所定量分下げたビットレートを算出し、該ビットレートに基づいて前記再符号化部により、前記複数の対象ファイルを再符号化させることによって、前記新たに録画する動画像ファイルを録画するのに必要な記憶容量を生成するようにしたことを特徴とする。
【００１２】
また、本発明に係る動画像録画装置において、前記制御部は、前記複数の対象ファイルを同時に選択する場合に、選択するファイル数に最大値を設け、選択ファイル数に制限を加えたことを特徴とする。
【００１３】
また、本発明に係る動画像録画装置において、前記制御部は、前記複数の対象ファイルを同時に選択する際に、ビットレートの高い順に対象ファイルを選択することを特徴とする。
【００１４】
また、本発明に係る動画像録画装置において、前記制御部は、前記複数の対象ファイルを同時に選択する際に、再生時間の大きい順に対象ファイルを選択することを特徴とする。
【００１５】
また、本発明に係る動画像録画装置において、前記制御部は、前記複数の対象ファイルを同時に選択する際に、録画日時の古い順に対象ファイルを選択することを特徴とする。
【００１６】
また、本発明に係る動画像録画装置において、前記制御部は、前記複数の対象ファイルを同時に選択する際に、再生履歴の回数の少ない順に対象ファイルを選択することを特徴とする。
【発明の効果】
【００１７】
本発明の動画像録画装置によれば、以下に示す優れた効果を奏し得る。
本発明の動画像録画装置によれば、録画済の複数のファイルをまとめて再符号化し、複数のファイルの録画時のビットレートから所定の量だけ下げて再符号化することから、それぞれの画質劣化はわずかであり、極端にビットレートが下がることによる大幅な画質の劣化がないため、良好な動画像の視聴が可能となる。
【発明を実施するための最良の形態】
【００１８】
以下、本発明に係る動画像録画装置の一実施形態について図面を参照して説明する。
図１〜図２は、本実施形態に係る動画像録画装置の一例を示す図であって、図中、同一の符号を付した部分は同一物を表わすものである。
【００１９】
図１は、本発明に係る動画像録画装置１００の概略構成を示す図である。
【００２０】
図１に示す動画像録画装置１００は、各種情報を取得して、必要なビットレートの算出、装置全体の制御を行う制御部１０１と、録画したファイルを格納する記憶部１０２と、再符号化する際のビットレート等の設定を行う操作部１０３と、録画済ファイルを一旦復号し、再符号化する際に設定されるビットレートに従い符号化する再符号化部１０４と、記憶部１０２の残容量を取得する記憶部残容量取得部１０５と、設定されたビットレートを取得するビットレート取得部１０６と、再生時間を取得する再生時間取得部１０７と、を備えて構成される。
【００２１】
上記のような構成を備える本発明に係る動画像録画装置１００の動作を図２に示すフロー図に基づいて、以下に説明する。
【００２２】
まず、動画像録画装置１００において、操作部１０３を介して、新規に録画する録画時間と符号化する際のビットレートが設定され、制御部１０１に転送される。
制御装置１０１では、転送された録画時間とビットレートから録画するのに必要な容量が算出される。（ステップＳ１００）
【００２３】
記憶部残容量取得部１０５は、現時点の記憶部１０２の残容量（ＣＲ１）を取得した後、上記録画するのに必要な容量（Ｃ）及び残容量（ＣＲ１）から、新規に録画した場合の記憶部１０２の残容量（ＣＲ２）を再度算出し（ステップＳ１１０）、上記新規の録画ファイルを記録部１０２に記憶できるか否かを判断する（ステップＳ１２０）。
【００２４】
算出された残容量（ＣＲ２）が所定以上の値である場合には（ステップＳ１２０；Ｙｅｓ）、そのまま、取得したビットレート（Ｒ）で記憶部１０２に記憶し、本処理を終了する。
【００２５】
一方、残容量（ＣＲ２）が所定以下の値である場合であると判断した場合には（ステップＳ１２０；Ｎｏ）、制御部１０１は、再符号化対象とする記憶部１０２に記憶されている複数の既録画ファイルを一度に選択する（ステップＳ１３０）。
【００２６】
このファイル選択の基準としては、ビットレートの高い順により選択できるよう設定することが可能である。なぜなら、ビットレートが元々高いファイルであれば、再符号化して許容のビットレート分を下げても、画質の劣化を目立たなくすることができるからである。
【００２７】
また、録画された録画ファイルの再生時間数の大きい順、録画日時の古い順、再生履歴の回数の少ない等、様々なパラメータにより選択できるよう設定することが可能であり、これらのパラメータを組み合わせたものであってもよい。
【００２８】
この場合のビットレートの下げ幅は、元の録画ファイルのビットレートから極端に下がることのないように、制御部１０１によって定められる。
【００２９】
但し、下げるビットレート幅をあまり小さくすると、再符号化の対象ファイルが多くなり、再符号化に時間がかかることから、ビットレートの下げ幅の最小値（ＲＷ）及び再符号化する対象ファイル数の最大値を操作部１０３によって設定できるようになっている。
【００３０】
上記のような状況下において、ステップＳ１３０において、録画ファイルを選択するために、閾値ビットレート（ＴＨＲ）以上のビットレートを有する録画ファイルを選択する。
【００３１】
そして、以前にビットレートを下げた経歴のある録画ファイルを取り除き、選択された対象ファイル数が最大数以上か否かを判定する（ステップＳ１４０）。最大数を超えている場合には（ステップＳ１４０；Ｙｅｓ）、閾値ビットレートを規定値分上げて（ステップＳ１５０）、ステップＳ１３０に処理を戻す。
【００３２】
ステップＳ１４０において、ファイルの最大数を越えていなければ（ステップＳ１４０；Ｎｏ）、制御部１０１は、選択した複数の録画ファイルの符号化用ビットレートを算出し、算出したビットレートに基づいて、選択した再符号化する全ての録画ファイルを記憶部１０２から順に取り出し、再符号化部１０４に入力し再符号化して、結果を再度、記憶部１０２に格納する（ステップＳ１６０）。
【００３３】
次に、上記新規の録画ファイルが記録部１０２に記憶可能か否かを再度判断するために、ステップＳ１１０に処理を戻す。
【００３４】
以上、説明したように、新規に録画するのに必要な記憶部の容量が確保され、新規に録画するファイルの画質を著しく劣化させることなく、新規の録画が可能となる。
【図面の簡単な説明】
【００３５】
【図１】本発明における動画像録画装置の一例を示すための構成図である。
【図２】本発明における動画像録画装置の動作を示すフロー図である。
【図３】従来の動画像録画装置の構成を示すブロック図である。
【符号の説明】
【００３６】
１００  本発明の動画像録画装置
１０１  制御部
１０２  記憶部
１０３  操作部
１０４  再符号化部
１０５  記憶部残容量取得部
１０６  ビットレート取得部
１０７  再生時間取得部
２００  従来の動画像録画装置
２０１  制御器
２０２  記憶部
２０３  圧縮レート指示器
２０４  再符号化部
【図１】
2009130578.tif 000003
【図２】
2009130578.tif 000004
【図３】
2009130578.tif 000005